(57)【要約】【課題】ペン先からインキが漏出してもそのインキが先端開口より外部に漏出するおそれがない出没式筆記具を提供する。【解決手段】軸筒２内に筆記体３を前後方向に移動可能に収容する。筆記体３のペン先３１を軸筒２の先端開口２１より出没可能に構成する。軸筒２の先端開口２１に、開閉自在の開閉口４１を備える開閉部材４を設ける。ペン先３１が先端開口２１から突出状態のとき、開閉口４１が大きく開口し且つ開閉口４１にペン先３１が挿通される。一方、ペン先３１が軸筒２内に没入状態のとき、開閉口４１が略閉鎖し且つ開閉口４１が毛細間隙４２を構成する。【選択図】  図１
2006289798.tif 000002
【特許請求の範囲】
【請求項１】
軸筒内に筆記体を前後方向に移動可能に収容し、前記筆記体のペン先を軸筒の先端開口より出没可能に構成した出没式筆記具であって、軸筒の先端開口に、開閉自在の開閉口を備える開閉部材を設け、ペン先が先端開口から突出状態のとき、前記開閉口が大きく開口し且つ前記開閉口にペン先が挿通され、一方、ペン先が軸筒内に没入状態のとき、前記開閉口が略閉鎖し且つ前記開閉口が毛細間隙を構成してなることを特徴とする出没式筆記具。
【請求項２】
前記開閉部材を軸筒の先端開口の外周面に設け、開閉口を軸筒の先端開口より前方に配置した請求項１記載の出没式筆記具。
【請求項３】
前記開閉部材を弾性体により構成し、前記開閉部材と、軸筒の前部外周面に設けた把持部とを一体に連設した請求項２記載の出没式筆記具。
【請求項４】
前記開閉部材の開閉口の周囲に突部を周状に形成し、前記突部の先端を開閉口の先端より前方に突出させてなる請求項２または３記載の出没式筆記具。
【請求項５】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキの粘度が、２０℃において、１ｍＰａ・ｓ〜５０ｍＰａ・ｓの範囲である請求項１、２、３または４記載の出没式筆記具。
【請求項６】
前記筆記体のペン先が、先端に回転可能にボールを抱持し且つ前記ボールを弾発部材により前方に付勢して内向きの先端縁部の内面に密接させた構造のボールペンチップであり、筆記体の内部に収容されたインキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲である請求項１、２、３または４記載の出没式筆記具。
【発明の詳細な説明】
【技術分野】
【０００１】
本発明は、出没式筆記具に関する。詳細には、軸筒内部に筆記体を前後方向に移動可能に収容し、前記筆記体のペン先を軸筒の先端開口より出没可能に構成した出没式筆記具に関する。
【背景技術】
【０００２】
従来、この種の出没式筆記具において、軸筒の先端開口に切り込みを有する弾性シール部材を配置し、前記切り込みを通してペン先を出没可能に構成したペン先密封構造が知られている。（例えば、特許文献１）
【０００３】
【特許文献１】実公昭４４−１７１２号公報
【発明の開示】
【発明が解決しようとする課題】
【０００４】
前記従来の出没式筆記具（特許文献１）は、ペン先を完全に密封し、ペン先の乾燥を防止するものであるため、万が一、ペン先からインキが漏出した場合、その漏出インキが弾性シール部材の内面に溜まり、ペン先を突出させた際に切り込みを開口させると、前記漏出インキが先端開口から外部に漏れ出すおそれがある。
【０００５】
本発明は、前記従来の問題点を解決するものであって、ペン先からインキが漏出してもそのインキが先端開口より外部に漏出するおそれがない出没式筆記具を提供しようとするものである。尚、本発明において、「前」とはペン先側を指し、一方、「後」とはその反対側を指す。
【課題を解決するための手段】
【０００６】
［１］本発明は、軸筒２内に筆記体３を前後方向に移動可能に収容し、前記筆記体３のペン先３１を軸筒２の先端開口２１より出没可能に構成した出没式筆記具であって、軸筒２の先端開口２１に、開閉自在の開閉口４１を備える開閉部材４を設け、ペン先３１が先端開口２１から突出状態のとき、前記開閉口４１が大きく開口し且つ前記開閉口４１にペン先３１が挿通され、一方、ペン先３１が軸筒２内に没入状態のとき、前記開閉口４１が略閉鎖し且つ前記開閉口４１が毛細間隙４２を構成してなること（請求項１）を要件とする。
【０００７】
前記出没式筆記具１（請求項１）は、ペン先３１が軸筒２内に没入状態にあるとき、ペン先３１からインキが漏出したとしても、前記漏出インキが前記開閉口４１の毛細間隙４２に一時的に保持される。そのため、先端開口２１よりインキが外部に漏出するおそれがない。さらに、前記毛細間隙４２は外気と連通されているため、前記保持した漏出インキを迅速に乾燥させることができ、その後、開閉口４１を大きく開口させ、ペン先３１を先端開口２１から突出させても、インキが外部に漏出するおそれがない。
【０００８】
尚、前記毛細間隙４２とは、毛細管力を有する間隙をいう。前記毛細間隙４２の間隙寸法は、具体的には、０．０１ｍｍ〜０．２ｍｍ（さらに好ましくは０．０１ｍｍ〜０．１０ｍｍ）の範囲が好ましい。尚、前記開閉口４１は、例えば、スリット（切り込み）または微細孔が挙げられる。尚、前記出没式筆記具１（請求項１）において、前記開閉部材４は、弾性体（ゴム、エラストマー、軟質合成樹脂）、硬質合成樹脂、金属等、いずれによって構成してもよい。尚、前記出没式筆記具１（請求項１）において、前記開閉部材４は、軸筒２の先端開口２１の外面、または軸筒２の先端開口２１の内面のいずれに設けてもよい。
【０００９】
［２］前記出没式筆記具１（請求項１）において、前記開閉部材４を軸筒２の先端開口２１の外周面（即ち先端開口２１を備える軸筒２先端部の外周面）に設け、開閉口４１を軸筒２の先端開口２１より前方に配置したこと（請求項２）が好ましい。
【００１０】
前記出没式筆記具１（請求項２）は、開閉部材４を外部に露出させるため、ペン先３１の出没に伴う開閉口４１の開閉作動を視覚できるとともに、デザイン面でもユニークな外観を得ることができる。
【００１１】
［３］前記出没式筆記具１（請求項２）において、前記開閉部材４を弾性体により構成し、前記開閉部材４と、軸筒２の前部外周面に設けた把持部２２とを一体に連設すること(請求項３)が好ましい。
【００１２】
前記出没式筆記具１(請求項３)は、開閉部材４と把持部２２とを弾性体により一部材で構成できるため、シンプルな構造となり、安価に提供することができる。尚、前記出没式筆記具１（請求項３）において、弾性体とは、例えば、ゴム、エラストマー、軟質合成樹脂等が挙げられる。
【００１３】
［４］前記出没式筆記具１（請求項２または３）において、前記開閉部材４の開閉口４１の周囲に突部４４を周状に形成し、前記突部４４の先端を開閉口４１の先端より前方に突出させてなること (請求項４)が好ましい。
【００１４】
前記出没式筆記具１（請求項４）は、ペン先３１からインキが漏出し、前記漏出インキが開閉口４１の毛細間隙４２に保持された場合、突部４４によって開閉口４１（毛細間隙４２）の先端との接触を防止し、衣服や手にインキが付着して汚れることを回避できる。尚、前記突部４４は、例えば、連続した環状に形成した構成、または、複数個を周状に分散配置した構成のいずれでもよい。
【００１５】
［５］前記出没式筆記具１（請求項１、２、３または４）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキの粘度が、２０℃において、１ｍＰａ・ｓ〜５０ｍＰａ・ｓの範囲であること(請求項５)記載の出没式筆記具１。
【００１６】
前記出没式筆記具１（請求項５）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた請求項５構成により、ペン先下向き状態におけるペン先３１からのインキの漏出を未然に防ぐことができる。さらに、万が一、ペン先３１からインキが漏出したとしても、請求項１の構成により、先端開口２１からのインキの漏出を防ぐことができる。即ち、出没式筆記具１（請求項５）により、滑らかな筆記が可能となるとともに、先端開口２１からのインキ漏出事故に対する安全性が一層向上する。
【００１７】
［６］前記出没式筆記具１（請求項１、２、３または４）において、前記筆記体３のペン先３１が、先端に回転可能にボール３１ａを抱持し且つ前記ボール３１ａを弾発部材３４により前方に付勢して内向きの先端縁部３１ｂの内面に密接させた構造のボールペンチップであり、筆記体３の内部に収容されたインキが、Ｅ型回転粘度計による２０℃における回転数１００ｒｐｍでの粘度が、３ｍＰａ・ｓ〜１６０ｍＰａ・ｓの範囲であり、且つ、剪断減粘性指数が０．８０〜０．９９の範囲であること(請求項６)が好ましい。
【００１８】
前記出没式筆記具１（請求項６）において、インキが低粘度であるため、流動性に優れ、筆跡途切れのない滑らかな筆記が可能であるが、ペン先３１からのインキ漏出が生じやすい。しかし、弾発部材３４によりボール３１ａを前方に付勢して内向きの先端縁部３１ｂの内面に密接させた請求項５構成により、ペン先下向き状態におけるペン先３１からのインキの漏出を未然に防ぐことができる。さらに、万が一、ペン先３１からインキが漏出したとしても、請求項１の構成により、先端開口２１からのインキの漏出を防ぐことができる。即ち、出没式筆記具１（請求項６）により、滑らかな筆記が可能となるとともに、先端開口２１からのインキ漏出事故に対する安全性が一層向上する。
【００１９】
尚、前記剪断減粘性指数は、粘度計により剪断応力値（Ｔ）及び剪断速度（ｊ）値の流動学的測定により導かれる実験式（Ｔ＝Ｋｊｎ ：但し、Ｋ及びｎは計算された定数である）を適用して計算されるｎ値である。尚、前記Ｅ型回転粘度計とは、具体的には、ＥＭ型回転粘度計、ＥＬ型回転粘度計、ＥＨ型回転粘度計が挙げられる。
【発明の効果】
【００２０】
請求項１の出没式筆記具によれば、ペン先からインキが漏出しても、その漏出インキが先端開口より外部に漏出するおそれがない。
【００２１】
請求項２の出没式筆記具によれば、ペン先の出没に伴う開閉口の開閉作動を視覚できるとともに、デザイン面でもユニークな外観を得ることができる。
【００２２】
請求項３の出没式筆記具によれば、シンプルな構造となり、安価に提供することができる。
【００２３】
請求項４の出没式筆記具によれば、開閉口（毛細間隙）の先端との接触を防止し、衣服や手にインキが付着して汚れることを回避できる。
【００２４】
請求項５の出没式筆記具によれば、滑らかな筆記が可能となるとともに、先端開口からのインキ漏出事故に対する安全性が一層向上する。
【００２５】
請求項６の出没式筆記具によれば、滑らかな筆記が可能となるとともに、先端開口からのインキ漏出事故に対する安全性が一層向上する。
【発明を実施するための最良の形態】
【００２６】
以下、本発明の実施の形態を図面に従い説明する。
【００２７】
図１及び図２に本発明の出没式筆記具１の実施の形態を示す。
【００２８】
本実施の形態の出没式筆記具１は、軸筒２と、該軸筒２の内部に前後方向に移動可能に収容される筆記体３とからなる。前記筆記体３は、リターンスプリンング１１（圧縮コイルスプリング）により後方に付勢されている。
【００２９】
（軸筒）
軸筒２は、合成樹脂の射出成形により得られ、先細状の先端部に先端開口２１を備え、その先端開口２１から筆記体３のペン先３１が出没する。前記軸筒２の後部には、ノック操作または回転操作により筆記体３を前後に移動させる出没機構（図示せず）が収容される。また、先端開口２１を備える軸筒２の先端部の外周面には、弾性体（例えば、ゴム、エラストマー、軟質合成樹脂等）よりなる開閉部材４が設けられる。
【００３０】
（開閉部材）
前記開閉部材４は、先端が閉鎖した先細形状（略円錐状）の筒体からなる。前記開閉部材４の先端部４３には、スリット（図２参照）または微細孔（図３参照）からなる開閉口４１が軸方向に貫設される。前記開閉部材４は、軸筒２の外周面の把持部２２（グリップ部）と一体に連設される。本実施の形態では、軸筒２と、前記把持部２２を兼ねる開閉部材４とが２色成形により一体に結合されている。前記開閉口４１は、ペン先３１の出没に伴い、径方向に弾性変形可能であり、ペン先没入時に自ら閉じる自己復元力を有する。
【００３１】
また、前記開閉部材４の開閉口４１の周囲には環状の突部４４が一体に形成され、前記突部４４の先端が、ペン先没入時の開閉口４１（毛細間隙４２）の先端より前方に突出される。前記突部４４によって、ペン先没入状態における開閉口４１の毛細間隙４２に、誤って接触して衣服や手を汚すおそれがない。
【００３２】
（筆記体）
筆記体３は、先端部にボール３１ａを回転可能に抱持したボールペンチップと、該ボールペンチップの後部が前部に圧入固着されたホルダー３２と、該ホルダー３２の後部が先端開口２１部に圧入固着されたインキ収容筒３３と、該インキ収容筒３３内に収容されるインキ及び追従体（図示せず）と、前記ボールペンチップ内に収容配置される弾発部材３４（スプリング）と、前記インキ収容筒３３の後端開口部に圧入固着される尾栓（図示せず）とからなる。
【００３３】
前記ボールペンチップは、先端部にボール３１ａを回転可能に抱持した金属製（例えば、ステンレス鋼製）のストレート状パイプよりなるニードルタイプである。前記ボールペンチップの先端近傍内面には、内方への押圧変形により、ボール受け座となる４個の内方突出部が周方向に等間隔に形成される。前記内方突出部の前面は、円錐凹面状となっている。また、前記ボールペンチップの先端部には、内方へのカシメ変形により環状の内向きの先端縁部３１ｂが形成される。前記先端縁部３１ｂ内面と内方突出部前面（ボール受け座）との間にはボール収納孔が形成され、前記ボール収納孔には、ボール３１ａ（ボール直径：０．５ｍｍ）が回転可能且つ前後方向に移動可能に抱持される。さらに、前記ボール受け座後方にはインキ流通孔が形成される。
【００３４】
前記ホルダー３２は、合成樹脂（例えば、ポリプロピレン、ポリアセタール）の射出成形により得られる筒状体である。前記ホルダー３２は、ボールペンチップが取り付けられる先細状の前部と、インキ収容筒３３の先端面と当接する鍔部と、インキ収容筒３３の先端開口２１部に圧入される後部とからなる。前記ホルダー３２内部には、ボールペンチップの後部が圧入固着される取付孔３２ａと、該取付孔３２ａにその先端が連通し且つその後端が外部に開口するインキ流通孔３２ｂとが設けられる。前記インキ流通孔３２ｂの中間部内面には、周状に分散配置される複数（例えば４個）の係止突起３２ｃが一体に形成される。
【００３５】
前記弾発部材３４は、線径０．１２ｍｍ〜０．１４ｍｍのステンレス鋼製線材よりなり、前部のストレート部３４ａと後部のコイル部３４ｂとが一体に連設されてなる。前記コイル部３４ｂの後端部には、外径が前方のコイル部３４ｂより大きく設定された膨出部３４ｃが形成される。前記膨出部３４ｃは、線材間が密着した密着巻部により形成される。前記膨出部３４ｃが，ホルダー３２内面の係止突起３２ｃを後方より乗り越えて、前記係止突起３２ｃの前面に係止される。前記ストレート部３４ａは、ボールペンチップのインキ流通孔内に挿通され、前記ストレート部３４ａの先端は、ボール３１ａの後面を前方に押圧し、ボール３１ａが先端縁部３１ｂの内面に密接される。それにより、非筆記時、ボール３１ａと先端縁部３１ｂとの間からインキが漏出することを防止する。
【００３６】
前記インキ収容筒３３は、両端が開口された円筒体であり、合成樹脂（例えば、ポリプロピレン）の押出成形により得られる。前記インキ収容筒３３の先端開口２１部には、ボールペンチップを備えたホルダー３２の後部が圧入固着される。前記インキ収容筒３３の内部には、インキと、該インキの後端に配置され且つ該インキの消費に伴って前進する追従体とが充填される。
【００３７】
前記インキは、Ｂ型回転粘度計における２０℃での粘度が９ｍＰａ・ｓである水性インキ、または、ＥＬ型回転粘度計における２０℃での回転数１００ｒｐｍの粘度が３．５ｍＰａ・ｓであるとともに剪断減粘性指数が０．９７である水性インキである。
【００３８】
前記追従体は、高粘度流体と、該高粘度流体中に収容させた固形物とからなる。尚、前記追従体は、前記以外にも、固形物を備えない高粘度流体のみからなる構成、またはインキ収容筒３３内壁と摺動可能な固形物のみからなる構成であってもよい。
【００３９】
前記尾栓は、インキ収容筒３３の後端開口部に圧入固着される。前記尾栓は、軸方向に通気孔が貫設され、前記通気孔により、インキ収容筒３３内の追従体後方の空間と外気とが連通される
【００４０】
（開閉口の開閉）
本実施の形態の出没式筆記具１は、ペン先没入状態（図１）からペン先突出状態（図４）に移行する際、ペン先３１によって、開閉部材４の開閉口４１が径方向外方に押し広げられ、開閉口４１が大きくが弾性変形して開口される。一方、ペン先突出状態（図４）からペン先没入状態（図１）に移行する際、開閉口４１が自己復元力により迅速かつ確実に閉じ、適正な毛細間隙４２を構成する。
【００４１】
（毛細間隙）
本実施の形態の出没式筆記具１において、万が一、ペン先下向き状態且つペン先没入状態で保管されたときに、ボールペンチップの先端からインキが垂れ落ちたとしても、開閉部材４の毛細間隙４２に、前記垂れ落ちたインキが保持されるため、先端開口２１より外部にインキが漏出するおそれがない。その結果、本実施の形態の出没式筆記具１は、先端開口２１より外部に漏出するインキで衣服や手を汚すおそれがない。尚、本実施の形態の出没式筆記具１において、毛細間隙４２の間隙寸法は、０．０１ｍｍ〜０．１ｍｍに設定されている。
【００４２】
また、本実施の形態の出没式筆記具１において、前記毛細間隙４２は外気と連通されているため、前記毛細間隙４２に保持されたインキは、迅速に乾燥される。それにより、その後、ペン先３１が先端開口２１より突出し、開閉口４１が大きく開口しても、インキが外部に漏れ出すおそれがない。
【図面の簡単な説明】
【００４３】
【図１】本発明の実施の形態のペン先没入状態を示す要部縦断面図である。
【図２】図１の開閉口のスリットの例を示すＡ−Ａ線断面図である。
【図３】図１の開閉口の微細孔の例を示すＡ−Ａ線断面図である。
【図４】図１のペン先突出状態を示す要部縦断面図である。
【符号の説明】
【００４４】
１  出没式筆記具
１１  リターンスプリング
２  軸筒
２１  先端開口
２２  把持部
３  筆記体
３１  ペン先（ボールペンチップ）
３１ａ  ボール
３１ｂ  先端縁部
３２  ホルダー
３２ａ  取付孔
３２ｂ  インキ流通孔
３２ｃ  係止突起
３３  インキ収容筒
３４  弾発部材
３４ａ  ストレート部
３４ｂ  コイル部
３４ｃ  膨出部
４  開閉部材
４１  開閉口
４２  毛細間隙
４３  先端部
４４  突部
【図１】
2006289798.tif 000003
【図２】
2006289798.tif 000004
【図３】
2006289798.tif 000005
【図４】
2006289798.tif 000006